(57)【特許請求の範囲】
【請求項１】
液透過性の表面シート、液不透過性の裏面シート及び液保持性の吸収体を備え、腹側部の両側縁部と背側部の両側縁部とが接合されて、一対の接合領域、ウエスト開口部及び一対のレッグ開口部が形成されており、該ウエスト開口部及び一対の該レッグ開口部に、その周縁に沿ってウエスト弾性領域及び一対のレッグ弾性領域が形成されているパンツ型の使い捨ておむつにおいて、
前記一対の接合領域を引き裂いて展開し、前記表面シート側を上方に向けて自然状態で平らな水平面上に静置した状態において、股下部に、前記吸収体が配された部位の一部が上方に隆起した隆起部が形成されており、該隆起部のおむつ幅方向中央部における最高部位の高さ（Ｈ）と、当該状態における、おむつの長手方向における直線長さ（Ｌ）とが、以下の関係式（１）を満たし、
５％≦（Ｈ／Ｌ）×１００≦１４％    ・・・（１）
前記吸収体のテーバーこわさが１〜５ｃＮ・ｃｍであり、前記レッグ弾性領域は、腹側部から股下部に亘って配された第１弾性部材と背側部から股下部に亘って配された第２弾性部材とを備えて形成されており、股下部に、第１及び第２弾性部材が、環状の前記レッグ弾性領域に配された部分からおむつ幅方向中央に向かって延出する延在部を有しており、該延在部における第１弾性部材及び第２弾性部材は、第１弾性部材の配設領域と第２弾性部材の配設領域とが重なるように配されており且つおむつ幅方向中央に達しない位置に端部を有しており、
第１及び第２弾性部材は、前記レッグ弾性領域においては、第１固定手段により隣接するシート材に固定されており、前記レッグ弾性領域を形成する部分と前記延在部との境界部付近においては、前記第１固定手段よりも狭い範囲に施された第２固定手段、又は前記第１固定手段及び前記第２固定手段により隣接するシート材に固定されているパンツ型使い捨ておむつ。
【請求項２】
前記静置状態において、パンツ状に形成したときの二つ折りに起因して形成される折り返し部から前記隆起部の長手方向最先端部までの直線距離（ａ）と、背側部側の前記ウエスト開口部の端縁から前記折り返し部までの直線距離（ｂ）とが以下の関係式（２）を満たす請求項１記載のパンツ型使い捨ておむつ。
３％≦（ａ／ｂ）×１００≦１５％    ・・・（２）
【請求項３】
前記延在部における第１及び第２弾性部材は、少なくとも一部が吸収体と重なっている請求項１又は２記載のパンツ型使い捨ておむつ。
【請求項４】
第１及び第２弾性部材は、前記裏面シートとは別体の２枚のシート間に伸長状態で挟持されて該裏面シートの外側に配設されている請求項１〜３の何れか記載のパンツ型使い捨ておむつ。
【請求項５】
第１及び第２の弾性部材は、それぞれ複数本配設されており、第１弾性部材同士及び第２弾性部材同士は重なっていない請求項１〜４の何れかに記載のパンツ型使い捨ておむつ。
【発明の詳細な説明】
【０００１】
【発明の属する技術分野】
本発明は、大便後のおむつ替えを衛生的にでき、且つ、はき易くて着用感がよく、吸収性能や防漏性能に優れ、しかも見栄えのよいパンツ型使い捨ておむつに関する。
【０００２】
【従来の技術及び発明が解決しようとする課題】
パンツ型の使い捨ておむつは高月齢児や成人失禁者等に広く利用されている。斯かるパンツ型使い捨ておむつは、通常の下着と同じように脱着できる一方で、大便を処理するときには着用者を寝かせてから側部の接合を引き裂き、大便をおむつに保持させた状態で脱がせるようになされている。このようにして大便を処理するときには、お尻の下に、展開された状態のおむつがある状態でお尻を拭くことが多いが、この際、特に高月齢児はじっとしていないことが多く、不意におむつが傾いて排泄物がおむつの外へ出てしまうことがある。また、お尻拭きの時間が長引くと、軟便の場合には幼児の背側に軟便が移行して着用者の背側を汚したり、固形便の場合には転がって背側の方からおむつ外へ落ちてしまう恐れがあった。
【０００３】
従って、本発明の目的は、大便後のおむつ替えを衛生的にでき、かつ、はき易くて着用感がよく、吸収性能や防漏性能に優れ、しかも見栄えのよいパンツ型使い捨ておむつを提供することにある。
【０００４】
【課題を解決するための手段】
本発明は、液透過性の表面シート、液不透過性の裏面シート及び液保持性の吸収体を備え、腹側部の両側縁部と背側部の両側縁部とが接合されて、一対の接合領域、ウエスト開口部及び一対のレッグ開口部が形成されており、該ウエスト開口部及び一対の該レッグ開口部に、その周縁に沿ってウエスト弾性領域及びレッグ弾性領域が形成されているパンツ型の使い捨ておむつにおいて、前記一対の接合領域を引き裂いて展開し、前記表面シート側を上方に向けて自然状態で平らな水平面上に静置した状態において、股下部に、前記吸収体が配された部位の一部が上方に隆起した隆起部が形成されており、該隆起部のおむつ幅方向中央部における最高部位の高さ（Ｈ）と、当該状態における、おむつの長手方向における直線長さ（Ｌ）とが、５％≦（Ｈ／Ｌ）×１００≦１４％の関係にあることを特徴とするパンツ型使い捨ておむつを提供することにより、上記の目的を達成したものである。
【０００５】
【発明の実施の形態】
以下、本発明をその好ましい実施形態に基づいて説明する。
本発明の一実施形態としてのパンツ型使い捨ておむつ１は、液透過性の表面シート２、液不透過性の裏面シート３及びこれら両シート間に介在された液保持性の吸収体４を備え、腹側部Ａの両側縁部と背側部Ｂの両側縁部とが互いに接合されて、一対の接合領域Ｓ，Ｓ、ウエスト開口部Ｄ及び一対のレッグ開口部Ｅ，Ｅが形成されている。
【０００６】
本実施形態の使い捨ておむつ１において、吸収体４は、中央部分が括れた砂時計状であり、表面シート２及び裏面シート３も該吸収体４の外形に合わせて略同様の形状とされている。また、表面シート２及び裏面シート３は、吸収体４の長手方向の両側縁の外方において互いに接合され、吸収体４の長手方向端縁から延出した部分において互いに接合されている。
【０００７】
裏面シート３の外側（おむつ外表面側）には、２枚の外層不織布５１，５２が配されており、該外層不織布は、吸収体４の長手方向の両端縁及び両側縁よりも使い捨ておむつの外方に向けて延出し、延出した外層不織布により、ウエスト開口部Ｄの周縁部及びレッグ開口部Ｅ，Ｅの周縁部が形成されている。そして、所定部位の２枚の外層不織布５１，５２間に、ウエスト弾性部材６、レッグ弾性部材７１，７２及び胴廻り弾性部材９が配されて、ウエスト弾性領域（ウエストギャザー）６０、環状のレッグ弾性領域（レッグギャザー）７０及び胴回り弾性領域（胴回りギャザー）９０が形成されている。尚、表面シート２、裏面シート３及び吸収体４は一体化されて吸収性本体１０を形成しており、該吸収性本体１０は、２枚の外層不織布５１，５２からなる外層体５に接合固定されている。また、吸収体４の両側縁に沿って立体ギャザー８が形成されている。
【０００８】
而して、本実施形態のパンツ型使い捨ておむつ１は、一対の接合領域Ｓ，Ｓを引き裂いて展開し、図４及び図５に示すように、その表面シート２側を上方に向けて自然状態で平らな水平面上に静置した状態（静置状態）において、股下部Ｃに、吸収体４が配された部位の一部が上方に隆起した隆起部Ｒが形成されており、該隆起部Ｒのおむつ幅方向中央部における最高部位Ｔの高さ（Ｈ）と、当該状態（静置状態）における、おむつの長手方向における直線長さ（Ｌ）とが、以下の関係式（１）を満たしている。
５％≦（Ｈ／Ｌ）×１００≦１４％    ・・・（１）
【０００９】
式（１）について詳細に説明する。通常、パンツ型使い捨ておむつは、股下中央部（長手方向を２等分する中央線付近）を折り返し、レッグ開口部とウエスト開口部との間に存在する側縁部を接合してパンツ型の形態を形成する。このため、股下中央部には、折り返し部（おむつ展開状態においては、折り返しによる折り癖が付いた部分）１１が形成されるので、おむつを展開して平面上においたときには、当該折り返し部１１を境として、そのおむつ長手方向前後の何れかにおいて吸収体が上方に盛り上がり、それによりおむつの股下部Ｃに、吸収体４が配された部位の一部が上方に隆起した隆起部Ｒが形成される。
おむつ替えの際には着用者のお尻を上に持ち上げてお尻を拭いたりするので、展開状態のおむつの背側部における後半部（ウエスト開口部の端縁寄りの部分）に荷重が掛かる。そのため、前記隆起部が、自然状態（すなわち、展開状態で無荷重の状態）でおむつの背側に存在する場合には、これを着用者が踏みつけているとその反動でおむつの腹側が着用者側に引きつけられ、おむつ替えの邪魔となる。また、このような場合には、傾斜が着用者側に向いてしまうので、軟便のときには該軟便が着用者側へ移行する恐れがある。一方、前記隆起部が、自然状態でおむつの腹側に存在する場合には、上述のような問題はないものの、お尻が拭きにくい。
【００１０】
本発明者らは、斯かる問題の主な原因が、前記隆起部にあることを見い出し、更に鋭意検討した結果、パンツ型使い捨ておむつの他の利点を損なうことなく、斯かる問題を解決できる条件として、前記関係式（１）を見い出した。
前記比(H/L×100)が１４％超である場合は、着用者のサイズ、特におむつの全長に対して隆起部の高さが高すぎ、該隆起部がおむつの股下中央部の前後何れにある場合においても、お尻が拭き難く、特に後方にある場合には、不衛生になりがちである。一方、前記比(H/L×100)が５％未満である場合は、折り返し部１１のおむつ内面側に大便を堰き止めるポケットＰが十分に形成されないので、粘性の高い軟便や固形便が前後へ移行して着用者の肌を不必要に汚して不衛生になりがちである。斯かる観点から、前記比(H/L×100)の好ましい範囲は、５％以上１２％以下、特に５％以上９％以下である。また、前記高さ（Ｈ）は、子供用のおむつの場合、２０〜４５ｍｍ、特に２０〜３５ｍｍであることが好ましい。
【００１１】
上記隆起部Ｒは、パンツ型使い捨ておむつを形成する際に股下中央部に形成された折り返し部１１を基端として、レッグ弾性領域７０や所望により設けられる立体ギャザー８の弾性部材、吸収体の剛性等複数の因子により吸収体４が折れ曲がることで形成される。しかし、隆起部Ｒが長手方向に大きく張り出す構成であると着用者のお尻を上に持ち上げるときに該隆起部が邪魔になってしまうため、背中までもかなり浮かせた状態にしなくてはならず、着用者にとっても、おむつ替えをする者にとっても苦痛となる。
このような不都合を防止し、おむつ替えがスムーズに行えるようにする観点から、図５に示すように、パンツ型使い捨ておむつを展開して平らな水平面に静置した状態（静置状態）において、パンツ状に形成したときの二つ折りに起因して形成される折り返し部１１から前記隆起部Ｒの長手方向最先端部１２までの直線距離（ａ）と、背側部Ｂ側のウエスト開口部の端縁１３から該折り返し部１１までの直線距離（ｂ）とが以下の関係式（２）を満たすことが好ましい。
３％≦（ａ／ｂ）×１００≦１５％    ・・・（２）
特に３％≦(a/b) ×100 ≦１２％、更には３％≦(a/b) ×100 ≦１０％であると、お尻を持ち上げるときに軽く脚部を持つ程度ですみ、おむつ替えをする者の負担が一層軽減されることから好ましい。
【００１２】
また、本発明者らは、隆起部Ｒの高さが吸収体４の剛性や、レッグ弾性部材７１，７２の配置の仕方又は伸縮応力によって影響を受けることを見い出した。
本実施形態の使い捨ておむつ１は、吸収体４のテーバーこわさが１〜５ｃＮ・ｃｍであり、レッグ弾性領域７０は、腹側部Ａから股下部Ｃに亘って配された第１弾性部材７１と、背側部Ｂから股下部Ｃに亘って配された第２弾性部材７２とを備えて形成されており、股下部Ｃに、第１及び第２弾性部材７１，７２が環状のレッグ弾性領域７０に配された部分からおむつ幅方向中央に向かって延出する延在部Ｆを有しており、該延在部Ｆにおける第１及び第２弾性部材７１，７２は、第１弾性部材の配設領域Ｒ１と第２弾性部材の配設領域Ｒ２とが重なるように配されており且つおむつ幅方向中央（おむつを幅方向に２等分する中央線）に達しない位置に端部７３を有している。
【００１３】
本実施形態においては、吸収体４の硬さを、テーバーこわさで１〜５ｃＮ・ｃｍという吸収体としては比較的柔らかいものとしてあり、そのため、着用時の肌触りを優しいものとすることができると共に、おむつ替えのときに吸収体４の一部に荷重が大きく掛かった場合であっても、それだけで股下中央部に存在する折り曲げ部（境）１１を基点として吸収体４が着用者の腹側へ戻ることを防止することができる。テーバーこわさ値を１ｃＮ・ｃｍ以上としたのは、吸収体が柔らかすぎると、隆起部がへたってしまい該隆起部が下方への倒れて有効なポケット構造が形成されない場合があるからである。
【００１４】
テーバーこわさは、板紙のテーバーこわさ試験機によるこわさ試験方法（ＪＩＳ  Ｐ  ８１２５）に記載の方法に従って測定される。具体的には、おむつから取り出した吸収体４を、３．８×７．０ｃｍの寸法に裁断し、この試験片のテーバーこわさを測定する。
【００１５】
また、従来の多くの使い捨ておむつに見られるように、股下部Ｃにレッグ弾性部材を配する場合に、その弾性部材が吸収体を幅方向に横切って配されていると、安定な隆起構造を形成しやすくなり、特に股下部の幅方向中央部では背の高い隆起部を形成してしまう。そのため、股下部においては弾性部材が吸収体を幅方向に横切らないように該弾性部材を左右に分断して配することが考えられるが、このとき幅方向に分断距離を短くして環状のレッグ弾性領域のみを形成させると、着用時には、レッグ開口部の周縁部に過大な力が掛かるため、弾性部材の抜けが生じるおそれがある。
【００１６】
本実施形態においては、股下部Ｃに、第１及び第２弾性部材７１，７２が環状のレッグ弾性領域７０に配された部分からおむつ幅方向中央に向かって延出する延在部Ｆを設けてあるため、上述したような弾性部材の抜けを防止することができる。これにより、レッグ弾性領域（レッグ開口部ギャザー）を着用時に安定して作用させることができる。
また、第１及び第２弾性部材７１，７２の端部７３が、おむつの幅方向中央に達しないようにしてあるため、股下部Ｃの幅方向中央部に弾性収縮性がなく、該股下部Ｃが幅方向に大きく収縮することを防止できるため、股下領域が広く使え、おむつ替えのときに便が側部からはみ出す心配が無くなる。
このような観点から、吸収体４上に存在する延在部Ｆの長さ（左右延在部の合計長さ，図３中のＬ１＋Ｌ１）は、股下部Ｃにおける吸収体幅Ｗ（図３参照）の５〜７０％、特に５〜６０％が好ましい。尚、Ｌ１及びＷは、図２に示すように、おむつを展開させ伸張させた状態にて測定する。また、股下部Ｃの幅方向の過度の収縮が抑制されるため、おむつの見栄えも良い。
【００１７】
また、第１及び第２弾性部材７１，７２とを、第１弾性部材７１が配された領域Ｒ１と第２弾性部材が配された領域Ｒ２とが重なるように配することにより、(1) 股下部Ｃにおける延在部Ｆの幅（弾性部材がおむつ長手方向に分散する幅）を狭くすることで、高い隆起部の形成を抑制することができ、また、(2) 着用時には、吸収体の側部が着用者側へ押し上げられるようにしてフィット感を向上させることができる。
斯かる効果の一方又は両方を一層向上させる観点から、延在部Ｆの幅（領域Ｒ１の幅＋領域Ｒ２の幅−両領域の重なり部分の幅，図３及び図６参照）Ｗ２は５〜３０ｍｍ、特に７〜２０ｍｍが好ましい。尚、Ｗ２は、図２に示すように、おむつを展開させ伸張させた状態にて測定する。
【００１８】
本実施形態の使い捨ておむつ１について更に詳述する。
延在部Ｆにおける第１及び第２弾性部材７１，７２は、図３に示すように、少なくともそれぞれの一部が吸収体４と重なっている。そのため、前記効果(1) 及び(2）が一層確実に奏される。
【００１９】
また、第１及び第２の弾性部材７１，７２は、各々複数本（図示例では３本）が配されている。また、第１弾性部材７１同士及び第２弾性部材７２同士は重なっていない状態で配されている。
更に詳述すると、第１及び第２弾性部材７１，７２は、各々帯状をなしており、股下部Ｃにおいては、図３に示すように、３本の第１弾性部材のうち最もレッグ開口部外側（周縁端側）に存在する弾性材料７１ａに対して第２弾性部材のうち最も外側の弾性材料７２ａと真中の弾性材料７２ｂとが交差し、第２弾性部材のうち最も外側の弾性材料７２ａが第１弾性部材の最も内側の弾性材料７１ｃと、第２弾性部材の真中の弾性材料７２ｂが第１弾性部材の真中の弾性材料７１ｂと各々合流し重なって延在部Ｆを形成している。一方、第２弾性部材のうち最も内側の弾性材料７２ｃは第１弾性部材のうち最も外側の弾性材料７１ａ材料と合流し重なって延在部Ｆを形成している。複数本の第１及び第２弾性部材を、このような態様で配することにより、第１及び第２弾性部材が一層抜けにくくなる。
【００２０】
上述したように、延在部８における第１及び第２弾性部材７１，７２は、それぞれおむつ幅方向中央に達しない位置に端部７３を有している。本実施形態においては、吸収体４の側部においてのみ、両弾性部材７１，７２が吸収体４に重なるようにしてある。
斯かる構成とすることにより、弾性部材の剛性によって、展開した状態の使い捨ておむつ、特にその吸収体が該弾性部材を契機にして長手方向に大きく折れ曲がることを防止することができる。
特に本発明のおむつにおいては、複数本の第１弾性部材が配設された領域Ｒ１と、複数本の第２弾性部材が配設された領域Ｒ２とが、延在部Ｆにおいては重なって存在するため、領域の重なり部分の剛性が一層高くなっている。従って、このような延在部Ｆを股下部Ｃを横断して連続的に存在させた場合には、おむつ、特に吸収体の折れ易さが助長され、高い隆起形状が作出され易くなるが、上述したように、第１及び第２弾性部材７１，７２をおむつ幅方向中央まで延在させない構成とすれば、これを防止することができる。
【００２１】
本実施形態においては、延在部Ｆにおける第１及び第２弾性部材７１，７２は、吸収体４上おいては、弾性伸縮性を発現しないようになされている。これにより、第１及び第２弾性部材が吸収体の側部において重なっているにも拘わらず、吸収体が幅方向に収縮して吸収効率を低下することを防止することができる。
また、本実施形態においては、上述したように吸収体の側部に延在部が重なって存在するので、吸収体４の幅方向の収縮を防ぎつつ、しかも前記領域Ｒ１と前記領域Ｒ２とが重なっていることによる高い剛性と、着用時に脚開口部弾性体が腹側及び背側に引っ張られる効果とによって、吸収体の両側が着用者の股下部から上方へ引っ張られてポケットを形成するので漏れ防止効果がより高くなるという効果が奏される。
更に、当該構成は、排便時のおむつ交換の際に側縁の接合部を引き剥がして脱がす時に、排便ポイントが広くかつポケット形状を形成しているために幅方向に便が漏れる恐れが少ないというメリットがある。
【００２２】
また、本実施形態の使い捨ておむつ１においては、股下部を一度横断させて配した弾性部材を、股下中央部において切断して延在部を形成しているため、特に図示しないが、該弾性部材が抜けた領域Ｎにおいては各弾性材料の抜け跡が線状に残っている。
このため、着用時には股下部Ｃにおいて延在部Ｆと相俟って弱い一筋の折れ線が生じるが、複数本の第１弾性部材が配設された領域Ｒ１と、複数本の第２弾性部材が配設された領域Ｒ２とが、延在部において重なっているので、基点部面積（前記折れ線の幅×長さ）も最小限で済むから、隆起部の高さ（Ｈ）や隆起部の張り出し長さ（ａ）を上記範囲内に制御しやすくなる。
【００２３】
本実施形態において、前記延在部は、前記使い捨ておむつを展開して伸張した状態において、おむつの長手方向中央（長手方向を２等分する中央線，図２のＧ−Ｇ線）よりも腹側部Ａ側に位置する。これによって、排便部に張り出した隆起部を形成することが容易となる。そして、腹側部Ａ側への偏倚の程度は、おむつの展開且つ伸長状態（図２参照）において、最も腹側部側に存在する弾性部材の縁部と長手方向中央との間の距離Ｄ１が、おむつ長手方向の全長Ｌ２に対して１５％以下、特に１０％以下であることが好ましい。
尚、延在部Ｆにおいて、第１弾性部材の配設領域Ｒ１と第２弾性部材の配設領域Ｒ２とが離間している場合には、その間隔分吸収性能に不利益であるし、また長手方向に広く弾性体横断領域を有するため、一方の弾性部材が不必要に腹側部に配されるか、又は股下中央部に配されることになるので、着用感が損なわれる。
【００２４】
また、本実施形態の使い捨ておむつ１における第１及び第２弾性部材７１，７２は、レッグ弾性領域７０（図２参照）においては、第１固定手段（接着剤）により隣接する外層不織布（シート材）に固定されており、レッグ弾性領域と延在部との境界部付近Ｍ（図３参照）においては、第１固定手段よりも狭い範囲に施された第２固定手段（接着剤）、又は前記第１固定手段及び第１固定手段よりも狭い範囲に施された第２固定手段により、厚み方向に隣接する外層不織布（シート材）に固定されている。
【００２５】
第１固定手段を、弾性部材に隣接するシート材の全域に亘って施し、これにより、弾性部材を完全に該シート材に固定した場合には、一旦股下部を横断させて配設した弾性部材を切断して左右に分割しようとしても、股下中央部にも弾性部材が弾性伸縮性を発現する状態で残ってしまい、本願発明の効果が奏されない恐れがある。一方、レッグ弾性領域にのみ環状に接着剤を施すことも考えられるが、レッグ開口部は着用者の動きに連動して激しく引っ張られることがあるので、着用者の活発な活動等によっては、股下中央部で切断した弾性部材の伸長状態の解除が、レッグ開口部の縁部に沿って配された部分まで及ぶゴム抜けが生じる可能性がある。
本実施形態のように第１及び第２弾性部材を固定すれば、股下中央部の弾性伸縮性を発現させないようにしつつ、ゴム抜けを防止することができる。
更に、第２固定手段を、第１固定手段よりも狭い範囲に施すことにより、他の領域において余分な接着剤に起因する硬さやごわごわ感が生じるのを防止でき、おむつの風合いを損ねないというメリットもある。
【００２６】
第２固定手段（接着剤）を施す部位Ｍは、切断した弾性部材の伸長状態が、少なくとも切断により生じた切断端部付近において解除される一方、その解除がレッグ開口部の縁部に沿って配された部分まで及ぶことを防止できるような部位であれば良い。また、第１固定手段と第２固定手段との組み合わせとしては、第１固定手段が接着剤で第２固定手段が同種又は異種の接着剤である組み合わせ、第１固定手段が接着剤で第２固定手段がヒートシールである組み合わせ等を挙げることができる。
【００２７】
本発明は、上記実施形態に制限されず種々変更可能である。例えば、股下部における第１及び第２弾性部材の配設態様は、図６に示すような態様であっても良い。本発明の使い捨ておむつにおける各部材の形成材料としては、従来の使い捨ておむつに用いられている各種公知のものを用いることができる。
【００２８】
【実施例】
〔実施例１〕
図１〜３に示す形態のパンツ型使い捨ておむつを製造した。吸収体は、テーバーこわさ（ガーレ剛性，以下「剛性」という）２ｃＮ・ｃｍのものを使用した。レッグ弾性体の股下位置は、最も腹側のもので股下折り曲げ部（長手方向中心）から３５ｍｍとし、レッグ弾性体の幅（延在部の幅Ｗ，図３及び図６参照）は１５ｍｍとした。
このパンツ型使い捨ておむつを、未使用且つ二つ折りした状態（長手方向を２等分した腹側及び背側の内面同士を密着させた状態）において、平滑な水平面上に、その背側を該水平面に当接させて静置し、その腹側から、１．５ｋｇの荷重を、おむつ全面を覆う平板によって５分間加えた。
そして、荷重を取り除いた後、側部の接合部を引き剥がして展開し、図５に示すように、裏面シート側（非肌当接面側）が水平面上に接するようにして水平面上に静置し、更に、その背側部の後半部分（おむつ替え時に着用者の体が載る部分，図５参照）に平板を載せて１．５ｋｇの荷重を加えた。
その状態において、股下部Ｃに生じた隆起部Ｒの幅方向中央部の最大高さＨ、おむつ長手方向全長Ｌ、トップシート側から測定した背側ウエスト開口部の縁端１３から折れ曲がり部１１までの直線長さｂ、当該折れ曲がり部１１から隆起部長手方向先端１２までの直線距離ａを測定した。その結果を表１に示した。
【００２９】
〔実施例２及び３〕
レッグ弾性体の股下位置を、実施例１よりも背側よりへ若干移行し、最も腹側のものの股下折り曲げ部（長手方向中心）からの距離を３０ｍｍ（実施例２）及び２７ｍｍ（実施例３）とした以外は、実施例１と同様にしてパンツ型使い捨ておむつを製造した。そして、それぞれについて、実施例１と同様にして各部の値を測定し、その結果を表１に示した。
【００３０】
〔比較例１〜４〕
下記の市販のパンツ型使い捨ておむつを用意した。
比較例１：股下部を横断する弾性部材なし、レッグ開口部に沿ってレッグ弾性部材を配置。
比較例２：股下部をレッグ弾性部材が横断、最も腹側の弾性部材の配設位置が折り曲げ部（長手方向中心）から５０ｍｍ。
比較例３：股下部を横断する弾性部材なし、レッグ開口部に沿ってレッグ弾性部材を配置。吸収体の剛性６Ｎ。
比較例４：股下部をレッグ弾性部材が横断、最も腹側の弾性部材の配設位置が折り曲げ部（長手方向中心）から４５ｍｍ、吸収体の剛性３Ｎ。
これらについて、実施例１と同様にして各部の値を測定し、その結果を表１に示した。
【００３１】
【表１】
0004130070.tif 000002
【００３２】
＜評価＞
実施例及び比較例の各使い捨ておむつについて、以下のようにしてお尻の拭き易さ、軟便の移行阻止効果等を評価した。
各おむつを１〜２才前後の幼児に着用させ、次いで、幼児を仰向けに寝かせた状態にておむつを展開し、おむつの背側部上に幼児のお尻ないし背中が位置する状態において、お尻を拭き、そのときのお尻の拭き易さを評価した。
また、幼児の足を軽く上げて背中をおむつ背側部上に残した状態において、股下部の背側部寄りの位置（排便部）に粘性の低い軟便をのせ、次いで、幼児をおむつからどかせた後、軟便の腹側への移動の有無及び程度を観察した。
【００３３】
＜結果＞
実施例のおむつは、いずれもお尻拭きがし易かった。特に実施例１、３では、隆起部の背側方向への張り出しが抑えられているために、幼児の脚をつかんで軽く持ち上げただけでもお尻拭きができ、子供への負担が少なく、子供を嫌がらせたり暴れたりさせずに、容易におむつ替えができた。
また、軟便は、腹側に移行することなく、ポケットに保持されており、軟便の移行阻止効果に優れていた。
これに対して、比較例のおむつは、吸収体の剛性と弾性体の応力によってのみ吸収体の折れ曲がり位置が決定されており、隆起部最大高さが高かったり、隆起部の張り出しが大きく背側方向へ位置しているため、お尻拭きがしずらかったり、お尻拭きのためには、幼児のお尻を無理に持ち上げる等の工夫が必要であった。
【００３４】
【発明の効果】
本発明のパンツ型使い捨ておむつは、大便後のおむつ替えを衛生的にでき、且つ、はき易くて着用感がよく、吸収性能や防漏性能に優れ、しかも見栄えのよいものである。
尚、従来のパンツ型使い捨ておむつにおいては、パンツ型の形態にするが故にその展開状態の問題について議論されることが少なく、大便時のおむつ替えについては従来議論されてこなかった。このため、大便時の衛生的なおむつ替えという課題自体従来認識されていなかったが、本発明者らは、斯かる課題自体を見い出し、斯かる課題を解決すべく鋭意検討した結果、本発明を完成するに至ったものである。
【図面の簡単な説明】
【図１】本発明のパンツ型使い捨ておむつの一実施形態を示す斜視図である。
【図２】図１に示す使い捨ておむつの展開且つ伸張状態を示す平面図である。
【図３】図１に示す使い捨ておむつの股下部の弾性部材の配設態様を示す部分拡大平面図（上）及び該平面図のＸ−Ｘ線断面図（下）である。
【図４】図１に示す使い捨ておむつを展開して平坦な水平面上に静置した状態（静置状態）を示す斜視図である。
【図５】図４のＹ−Ｙ線模式断面図（平板を載置した状態）である。
【図６】本発明のパンツ型使い捨ておむつの他の実施形態を示す要部拡大平面図である。
【符号の説明】
１    パンツ型使い捨ておむつ
２    表面シート
３    裏面シート
４    吸収体
５    外層体
６    ウエスト弾性部材
６０  ウエスト弾性領域（ウエストギャザー）
７    レッグ弾性部材
７１  第１弾性部材
７２  第２弾性部材
７０  レッグ弾性領域（レッグギャザー）
９    胴廻り弾性部材
９０  胴回り弾性領域（胴回りギャザー）
１１  折り返し部
１２  隆起部Ｒの長手方向最先端部
１３  ウエスト開口部縁部
Ａ    腹側部
Ｂ    背側部
Ｃ    股下部
Ｓ    接合領域
Ｒ    隆起部
【図１】
0004130070.tif 000003
【図２】
0004130070.tif 000004
【図３】
0004130070.tif 000005
【図４】
0004130070.tif 000006
【図５】
0004130070.tif 000007
【図６】
0004130070.tif 000008